(57)【要約】  本発明にかかる分析装置１は、各分析内容に応じてそれぞれ使用される複数のユニットと分析に関する分析情報を出力する出力部４７とを備えた分析装置において、各検体の分析情報を、該検体の分析処理において使用したユニットを示す情報とともに記憶する記憶部４６と、所望のユニットを検索条件として入力する入力部４３と、入力部４３によって入力された検索条件にしたがって、所望のユニットを使用して分析された検体の分析情報を記憶部４６の中から検索する検索部４５と、検索部４５によって検索された分析情報を所望のユニットの使用順に並び替えて所望のユニットの使用順を示す使用順情報とともに出力部４７に出力させる出力制御部４２と、を備えたことを特徴とする。
2008050397.tif 000002
【特許請求の範囲】
【請求項１】
各分析内容に応じてそれぞれ使用される複数のユニットと分析に関する分析情報を出力する出力手段とを備えた分析装置において、
各検体の分析情報を、該検体の分析処理において使用した前記ユニットを示す情報とともに記憶する記憶手段と、
所望の前記ユニットを検索条件として入力する入力手段と、
前記入力手段によって入力された検索条件にしたがって、前記所望のユニットを使用して分析された前記検体の分析情報を前記記憶手段の中から検索する検索手段と、
前記検索手段によって検索された前記分析情報を前記所望のユニットの使用順に並び替えて前記所望のユニットの使用順を示す使用順情報とともに前記出力手段に出力させる制御手段と、
を備えたことを特徴とする分析装置。
【請求項２】
前記制御手段は、前記検索条件に対応する分析情報以外の前記分析情報を所定条件で前記出力手段に出力させることを特徴とする請求項１に記載の分析装置。
【請求項３】
前記入力手段は、前記所望のユニットを複数入力でき、
前記制御手段は、前記検索手段によって検索された前記分析情報をそれぞれ対応する前記所望のユニットに分けて前記出力手段に出力させることを特徴とする請求項１に記載の分析装置。
【請求項４】
前記入力手段は、検索条件として単数または複数の所望の前記分析内容を入力でき、
前記検索手段は、前記入力手段によって入力された前記所望の分析内容に対応する前記検体の分析情報を前記記憶手段の中から検索し、
前記制御手段は、前記検索手段によって検索された前記分析情報を前記所望の分析内容に分けて分析順に前記出力手段に出力させることを特徴とする請求項１に記載の分析装置。
【請求項５】
前記入力手段は、前記検索手段によって検索された前記分析情報に対応するグラフ画像の出力を指示する指示情報を入力でき、
前記制御手段は、前記検索手段によって検索された前記分析情報と前記使用順情報とを対応させたグラフ画像を前記出力手段に出力させることを特徴とする請求項１に記載の分析装置。
【請求項６】
前記検索手段は、前記入力手段が検索条件として全ての前記ユニットを入力した場合、または、検索条件として前記ユニットを入力しなかった場合、前記記憶手段の中から前記入力手段によって入力された検索条件にしたがって前記分析情報を検索し、
前記制御手段は、分析開始順、分析開始時刻、分析終了順、または、分析終了時刻にしたがって前記検索手段によって検索された前記分析情報を並び替えて前記出力手段に出力させることを特徴とする請求項１に記載の分析装置。
【請求項７】
前記入力手段は、前記検体の種別を検索条件として入力できることを特徴とする請求項１に記載の分析装置。
【請求項８】
前記制御手段は、前記分析情報とともに、該分析情報に該当する検体の反応テーブルの使用位置を示す位置情報を前記出力手段に出力させることを特徴とする請求項１に記載の分析装置。
【請求項９】
前記入力手段は、検索条件の優先順位を設定する設定情報を入力でき、
前記制御手段は、前記優先順位にしたがって前記分析情報を並び替えて前記出力手段に出力させることを特徴とする請求項１に記載の分析装置。
【発明の詳細な説明】
【技術分野】
【０００１】
この発明は、各分析内容に応じてそれぞれ使用される複数のユニットと分析に関する情報を出力する出力手段とを備えた分析装置に関する。
【背景技術】
【０００２】
自動分析装置は、多数の検体に対する分析処理を同時に行い、さらに、多成分を迅速に、かつ、高精度で分析できるため、免疫学検査、生化学検査、輸血検査などさまざまな分野での検査に用いられている。たとえば、免疫学検査を行う分析装置は、反応容器内で検体と試薬とを反応させる反応機構、反応容器内の未反応物質を除去する機構をそれぞれ複数のターンテーブル上に配置し、さらに、各試薬と検体とが反応して生成される免疫複合体から生じる発光を検出する検出機構と、検体、試薬および反応液を各機構に分注または移送する複数の分注移送機構とを備え、様々な分析内容の免疫学検査を行っている（たとえば特許文献１参照）。【０００３】
【特許文献１】特開２００５−１６４５０８号公報
【発明の開示】
【発明が解決しようとする課題】
【０００４】
ところで、自動分析装置に異常が発生した場合、分析装置の操作者は、異常発生前後に使用された機構の動作情報および異常発生前後に分析された検体の分析結果を測定開始順に全て表示させて、表示させた動作情報および分析結果をもとに異常原因を特定している。しかしながら、従来の自動分析装置は、反応時間、使用する試薬、使用する機構、機構の使用タイミングなどがそれぞれ異なる様々な内容の分析処理を行うため、複雑な装置構成を有し、各機構においても複雑な処理動作を多数行っている。このため、異常原因の特定のために動作情報および分析結果を表示させた場合、複数の機構における複雑な処理動作に関連した全ての動作情報および分析結果が表示され、操作者は、表示された膨大な動作情報および分析結果の中から必要なものを抽出するという煩雑な処理を行った上で、抽出した動作情報および分析結果を参照して異常の特定を行っていた。【０００５】
このように、従来においては、操作者は、分析装置の異常を特定するために、膨大な動作情報および分析結果の中から必要なものを抽出するという抽出作業に多くの時間を費やしていたため、迅速かつ簡易に異常の特定を行うことができないという問題があった。【０００６】
本発明は、上記した従来技術の欠点に鑑みてなされたものであり、異常特定処理における操作者の負担を軽減した分析装置を提供することを目的とする。
【課題を解決するための手段】
【０００７】
上述した課題を解決し、目的を達成するために、この発明にかかる分析装置は、各分析内容に応じてそれぞれ使用される複数のユニットと分析に関する分析情報を出力する出力手段とを備えた分析装置において、各検体の分析情報を、該検体の分析処理において使用した前記ユニットを示す情報とともに記憶する記憶手段と、所望の前記ユニットを検索条件として入力する入力手段と、前記入力手段によって入力された検索条件にしたがって、前記所望のユニットを使用して分析された前記検体の分析情報を前記記憶手段の中から検索する検索手段と、前記検索手段によって検索された前記分析情報を前記所望のユニットの使用順に並び替えて前記所望のユニットの使用順を示す使用順情報とともに前記出力手段に出力させる制御手段と、を備えたことを特徴とする。【０００８】
また、この発明にかかる分析装置は、前記制御手段は、前記検索条件に対応する分析情報以外の前記分析情報を所定条件で前記出力手段に出力させることを特徴とする。【０００９】
また、この発明にかかる分析装置は、前記入力手段は、前記所望のユニットを複数入力でき、前記制御手段は、前記検索手段によって検索された前記分析情報をそれぞれ対応する前記所望のユニットに分けて前記出力手段に出力させることを特徴とする。【００１０】
また、この発明にかかる分析装置は、前記入力手段は、前記検索手段によって検索された前記分析情報に対応するグラフ画像の出力を指示する指示情報を入力でき、前記制御手段は、前記検索手段によって検索された前記分析情報と前記使用順情報とを対応させたグラフ画像を前記出力手段に出力させることを特徴とする。【００１１】
また、この発明にかかる分析装置は、前記入力手段は、検索条件として単数または複数の所望の前記分析内容を入力でき、前記検索手段は、前記入力手段によって入力された前記所望の分析内容に対応する前記検体の分析情報を前記記憶手段の中から検索し、前記制御手段は、前記検索手段によって検索された前記分析情報を前記所望の分析内容に分けて分析順に前記出力手段に出力させることを特徴とする。【００１２】
また、この発明にかかる分析装置は、前記検索手段は、前記入力手段が検索条件として全ての前記ユニットを入力した場合、または、検索条件として前記ユニットを入力しなかった場合、前記記憶手段の中から前記入力手段によって入力された検索条件にしたがって前記分析情報を検索し、前記制御手段は、分析開始順、分析開始時刻、分析終了順、または、分析終了時刻にしたがって前記検索手段によって検索された前記分析情報を並び替えて前記出力手段に出力させることを特徴とする。【００１３】
また、この発明にかかる分析装置は、前記入力手段は、前記検体の種別を検索条件として入力できることを特徴とする。【００１４】
また、この発明にかかる分析装置は、前記制御手段は、前記分析情報とともに、該分析情報に該当する検体の反応テーブルの使用位置を示す位置情報を前記出力手段に出力させることを特徴とする。【００１５】
また、この発明にかかる分析装置は、前記入力手段は、検索条件の優先順位を設定する設定情報を入力でき、前記制御手段は、前記優先順位にしたがって前記分析情報を並び替えて前記出力手段に出力させることを特徴とする。
【発明の効果】
【００１６】
本発明によれば、検索条件にしたがい所望のユニットを使用して分析された検体の分析情報を検索し、所望のユニットの使用順に並び替えて所望のユニットの使用順を示す使用順情報とともに出力することによって、操作者は所望する分析情報を簡易かつ迅速に取得できるため、異常特定処理における操作者の負担を軽減することが可能になる。
【図面の簡単な説明】
【００１７】
【図１】図１は、実施例にかかる分析装置の構成を示す模式図である。
【図２】図２は、図１に示す分析装置が分析情報を出力する処理手順を示すフローチャートである。
【図３】図３は、図１に示す出力部が有するディスプレイの表示画面の一例を示す図である。
【図４】図４は、図１に示す出力部が有するディスプレイの表示画面の一例を示す図である。
【図５】図５は、図１に示す出力部が有するディスプレイの表示画面の一例を示す図である。
【図６】図６は、図１に示す出力部が有するディスプレイの表示画面の一例を示す図である。
【図７】図７は、図１に示す出力部が有するディスプレイの表示画面の一例を示す図である。
【図８】図８は、図１に示す出力部が有するディスプレイの表示画面の一例を示す図である。
【図９】図９は、図１に示す出力部が有するディスプレイの表示画面の一例を示す図である。
【図１０】図１０は、図１に示す出力部が有するディスプレイの表示画面の一例を示す図である。
【図１１】図１１は、図１に示す出力部が有するディスプレイの表示画面の一例を示す図である。
【図１２】図１２は、図１に示す出力部が有するディスプレイの表示画面の一例を示す図である。
【図１３】図１３は、図１に示す出力部が有するディスプレイの表示画面の一例を示す図である。
【図１４】図１４は、図１に示す出力部が有するディスプレイの表示画面の一例を示す図である。
【図１５】図１５は、図１に示す出力部が有するディスプレイの表示画面の一例を示す図である。
【図１６】図１６は、図１に示す出力部が有するディスプレイの表示画面の一例を示す図である。
【図１７】図１７は、図１に示す出力部が有するディスプレイの表示画面の一例を示す図である。
【図１８】図１８は、図１に示す出力部が有するディスプレイの表示画面の一例を示す図である。
【符号の説明】
【００１８】
１  分析装置
２  測定機構
４  制御機構
２１  検体移送部
２１ａ  検体容器
２１ｂ  検体ラック
２２  チップ格納部
２３  検体分注移送機構
２４  免疫反応テーブル
２４ａ  外周ライン
２４ｂ  中周ライン
２４ｃ  内周ライン
２５  ＢＦテーブル
２６  第１試薬格納部
２７  第２試薬格納部
２８  第１試薬分注移送機構
２９  第２試薬分注移送機構
３０  酵素反応テーブル
３１  測光機構
３２  第１キュベット移送機構
３３  第２キュベット移送機構
４１  制御部
４２  出力制御部
４３  入力部
４４  分析部
４５  検索部
４６  記憶部
４７  出力部
４８  送受信部
【発明を実施するための最良の形態】
【００１９】
以下、図面を参照して、この発明の実施例である分析装置について。生化学検査、輸血検査などの各分野のうち、被検血液の抗原抗体反応などの免疫学検査を行う分析装置を例に説明する。なお、この実施例によりこの発明が限定されるものではない。また、図面の記載において、同一部分には同一の符号を付している。
【実施例】
【００２０】
まず、実施例について説明する。図１は、本実施例にかかる分析装置の構成を示す模式図である。図１に示すように、実施例にかかる分析装置１は、検体と試薬との間で生じる反応を光学的に測定する測定機構２と、測定機構２を含む分析装置１全体の制御を行うとともに測定機構２における測定結果の分析を行う制御機構４とを備える。分析装置１は、これらの二つの機構が連携することによって複数の検体の免疫学的な分析を自動的に行う。【００２１】
測定機構２は、大別して検体移送部２１、チップ格納部２２、検体分注移送機構２３、免疫反応テーブル２４、ＢＦテーブル２５、第１試薬格納部２６、第２試薬格納部２７、第１試薬分注移送機構２８、第２試薬分注移送機構２９、酵素反応テーブル３０、測光機構３１、第１キュベット移送機構３２および第２キュベット移送機構３３を備える。測定機構２の各構成部位は、所定の動作処理を行う単数または複数のユニットを備える。また、制御機構４は、制御部４１、入力部４３、分析部４４、検索部４５、記憶部４６、出力部４７および送受信部４８を備える。測定機構２および制御機構４が備えるこれらの各部は、制御部４１に電気的に接続されている。【００２２】
まず、測定機構２について説明する。検体移送部２１は、検体を収容した複数の検体容器２１ａを保持し、図中の矢印方向に順次移送される複数の検体ラック２１ｂを備える。検体容器２１ａに収容された検体は、検体の提供者から採取した血液または尿などである。【００２３】
チップ格納部２２は、複数のチップを整列したチップケースを設置しており、このケースからチップを供給される。このチップは、感染症項目測定時のキャリーオーバー防止のため、検体分注移送機構２３のノズル先端に装着され、検体分注ごとに交換されるディスポーザブルのサンプルチップである。【００２４】
検体分注移送機構２３は、検体の吸引および吐出を行うプローブが先端部に取り付けられ鉛直方向への昇降および自身の基端部を通過する鉛直線を中心軸とする回転を自在に行うアームを備える。検体分注移送機構２３は、検体移送部２１によって所定位置に移動された検体容器２１ａ内の試薬をプローブによって吸引し、アームを旋回させ、ＢＦテーブル２５によって所定位置に搬送されたキュベットに分注して検体を所定タイミングでＢＦテーブル２５上のキュベット内に移送する。【００２５】
免疫反応テーブル２４は、それぞれ配置されたキュベット内で検体と分析項目に対応する所定の試薬とを反応させるための反応ラインを有する。免疫反応テーブル２４は、免疫反応テーブル２４の中心を通る鉛直線を回転軸として反応ラインごとに回動自在であり、免疫反応テーブル２４に配置されたキュベットを所定タイミングで所定位置に移送する。免疫反応テーブル２４においては、図１に示すように、前処理、前希釈用の外周ライン２４ａ、検体と固相担体試薬との免疫反応用の中周ライン２４ｂおよび検体と標識試薬との免疫反応用の内周ライン２４ｃを有する３重の反応ライン構造を形成してもよい。【００２６】
ＢＦテーブル２５は、検体または試薬における未反応物質を分離するＢＦ（ｂｏｕｎｄ−ｆｒｅｅ）分離を実施する。ＢＦテーブル２５は、ＢＦテーブル２５の中心を通る鉛直線を回転軸として反応ラインごとに回動自在であり、ＢＦテーブル２５に配置されたキュベットを所定タイミングで所定位置に移送する。ＢＦテーブル２５は、ＢＦ分離に必要な磁性粒子担体を集磁する集磁機構とＢＦ分離を実施するＢＦ洗浄ノズルと集磁された担体を分散させる攪拌機構を有する。【００２７】
第１試薬格納部２６は、ＢＦテーブル２５に配置されたキュベット内に分注される第１試薬が収容された試薬容器を複数収納できる。第２試薬格納部２７は、ＢＦテーブル２５に配置されたキュベット内に分注される第２試薬が収容された試薬容器を複数収納できる。第１試薬格納部２６および第２試薬格納部２７は、図示しない駆動機構が駆動することによって、時計回りまたは反時計回りに回動自在であり、所望の試薬容器を第１試薬分注移送機構２８または第２試薬分注移送機構２９による試薬吸引位置まで移送する。【００２８】
第１試薬分注移送機構２８は、第１試薬の吸引および吐出を行うプローブが先端部に取り付けられ鉛直方向への昇降および自身の基端部を通過する鉛直線を中心軸とする回転を自在に行うアームを備える。第１試薬分注移送機構２８は、第１試薬格納部２６によって所定位置に移動された試薬容器内の試薬をプローブによって吸引し、アームを旋回させ、ＢＦテーブル２５によって所定位置に搬送されたキュベットに分注する。【００２９】
第２試薬分注移送機構２９は、第１試薬分注移送機構２８と同様の構成を有し、第２試薬格納部２７によって所定位置に移動された試薬容器内の試薬をプローブによって吸引し、アームを旋回させ、ＢＦテーブル２５によって所定位置に搬送されたキュベットに分注する。【００３０】
酵素反応テーブル３０は、基質液が注入されたキュベット内において光を発生させる酵素反応を行うための反応ラインである。測光機構３１は、キュベット内の反応液から発する発光を測定する。測光機構３１は、たとえば、化学発光で生じた微弱な発光を検出する光電子倍増管を備えて、発光量を測定する。また、測光機構３１は、光学フィルターを保持し、発光強度に応じて光学フィルターにより減光された測定値によって真の発光強度を算出する。【００３１】
第１キュベット移送機構３２は、鉛直方向への昇降および自身の基端部を通過する鉛直線を中心軸とする回転を自在に行い、液体を収容したキュベットを所定タイミングで、免疫反応テーブル２４、ＢＦテーブル２５、酵素反応テーブル３０、図示しないキュベット供給部および図示しないキュベット廃棄部の所定位置に移送するアームを備える。また、第２キュベット移送機構３３は、鉛直方向への昇降および自身の基端部を通過する鉛直線を中心軸とする回転を自在に行い、液体を収容したキュベットを所定タイミングで、酵素反応テーブル３０、測光機構３１、図示しないキュベット廃棄部の所定位置に移送するアームを備える。【００３２】
つぎに、制御機構４について説明する。制御機構４は、一または複数のコンピュータシステムを用いて実現され、測定機構２に接続する。制御機構４は、分析装置１の各処理にかかわる各種プログラムを用いて、測定機構２の動作処理の制御を行うとともに測定機構２における測定結果の分析を行う。【００３３】
制御部４１は、制御機能を有するＣＰＵ等を用いて構成され、分析装置１の各構成部位の処理および動作を制御する。制御部４１は、これらの各構成部位に入出力される情報について所定の入出力制御を行い、かつ、この情報に対して所定の情報処理を行う。制御部４１は、記憶部４６が記憶するプログラムをメモリから読み出すことにより分析装置１の制御を実行する。制御部４１は、出力制御部４２を有する。【００３４】
入力部４３は、種々の情報を入力するためのキーボード、出力部４７を構成するディスプレイの表示画面上における任意の位置を指定するためのマウス等を用いて構成され、検体の分析に必要な諸情報や分析動作の指示情報等を外部から取得する。入力部４３は、検索条件として、単数、複数または全ての所望のユニット、単数または複数の所望の分析内容、検体の種別などを入力する。入力部４３は、検索条件の優先順位を設定する設定情報を入力できる。分析部４４は、測定機構２から取得した測定結果に基づいて検体に対する分析処理等を行う。【００３５】
検索部４５は、入力部４３によって入力された検索条件にしたがって検体の分析情報を記憶部４６の中から検索する。検索部４５は、入力部４３によって入力された所望のユニットに対応する検体の分析情報を記憶部４６の中から検索する。検索部４５は、入力部４３によって入力された所望の分析内容に対応する検体の分析情報を記憶部４６の中から検索する。検索部４５は、入力部４３が検索条件として全てのユニットを入力した場合、または、検索条件としてユニットを入力しなかった場合、記憶部４６の中から入力部４３によって入力された検索条件にしたがって検体の分析情報を検索する。入力部４３が検体の種別を検索条件として入力した場合、入力された検体の種別に応じて検体の分析情報を記憶部４６の中から検索する。【００３６】
記憶部４６は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部４６は、ＣＤ−ＲＯＭ、ＤＶＤ−ＲＯＭ、ＰＣカード等の記憶媒体に記憶された情報を読み取ることができる補助記憶装置を備えてもよい。記憶部４６は、検体の分析に関する分析情報として、検体の識別情報、検体に対して行われた分析内容、検体に対する測定値を含む分析結果、検体の分析開始時間、検体の分析終了時間などを記憶するとともに、分析情報とともに該検体の分析処理において使用した各ユニット、各ユニットの使用時間、検体の各テーブルの配置位置などを記憶する。【００３７】
出力部４７は、ディスプレイ、プリンタ、スピーカー等を用いて構成され、出力制御部４２の制御のもと、分析に関する諸情報を出力する。送受信部４８は、図示しない通信ネットワークを介して所定の形式にしたがった情報の送受信を行うインターフェースとしての機能を有する。【００３８】
出力制御部４２は、出力部４７における出力処理を制御する。出力制御部４２は、検索部４５によって検索された分析情報を所望のユニットの使用順に並び替えて所望のユニットの使用順を示す使用順情報とともに出力部４７に出力させる。さらに、出力制御部４２は、検索部４５によって検索された分析情報以外の分析情報を所定条件で出力部４７に出力させる。出力制御部４２は、入力部４３が検索条件として所望のユニットを複数入力した場合、検索部４５によって検索された分析情報をそれぞれ所望のユニットに分けて出力部４７に出力させる。また、出力制御部４２は、入力部４３が検索条件として単数または複数の所望の分析内容を入力した場合、検索部４５によって検索された分析情報を所望の分析内容に分けて分析順に出力部４７に出力させる。出力制御部４２は、入力部４３が検索条件として全てのユニットを入力した場合、または、検索条件としてユニットを入力しなかった場合、分析開始順、分析開始時刻、分析終了順、分析終了時刻、または、分析開始時刻をもとにした相対的な値にしたがって検索部４５によって検索された分析情報を並び替えて出力部４７に出力させる。出力制御部４２は、分析情報とともに、該分析情報に該当する検体における免疫反応テーブル２４、ＢＦテーブル２５または酵素反応テーブル３０の配置位置を示す位置情報を出力部４７に出力させる。出力制御部４２は、入力部４３が検索条件の優先順位を設定する設定情報を入力した場合、この優先順位にしたがって検索部４５が検索した分析情報を並び替えて出力部４７に出力させる。【００３９】
分析装置１における一連の測定処理の一例を説明する。分析装置１においては、図示しないキュベット供給部より、ＢＦテーブル２５の所定位置に第１キュベット移送機構３２によってキュベットが移送され、このキュベット内に第１試薬である磁性粒子固相担体試薬が第１試薬分注移送機構２８によって分注される。その後、検体移送部２１によって所定位置に移送された検体容器２１ａ内から、チップ格納部２２から供給されたチップを装着した検体分注移送機構２３によって、ＢＦテーブル２５上のキュベット内に検体が分注される。そして、キュベットは、ＢＦテーブル２５の攪拌機構によって攪拌された後、第１キュベット移送機構３２によって、免疫反応テーブル２４の所定ラインに移送される。【００４０】
そして、キュベットは、一定の反応時間が経過した後、第１キュベット移送機構３２によってＢＦテーブル２５に移送され、ＢＦテーブル２５における集磁機構により磁性粒子担体が集磁され、ＢＦ洗浄ノズルによってＢＦ分離が実施される。そして、ＢＦ分離後のキュベット内に第２試薬である標識試薬が第２試薬分注移送機構２９によって分注され、攪拌機構によって攪拌される。このキュベットは、第１キュベット移送機構３２によって免疫反応テーブル２４の所定ラインに移送され、一定の反応時間が経過した後、ＢＦテーブル２５に移送される。そして、キュベットは、集磁機構によって磁性粒子担体が集磁され、ＢＦ洗浄ノズルによってＢＦ分離が実施されたのち、基質液が分注され、再度攪拌される。そして、キュベットは、第１キュベット移送機構３２によって酵素反応テーブル３０に移送され、酵素反応に必要な一定の反応時間が経過した後、第２キュベット移送機構３３によって測光機構３１に移送される。測光機構３１は、キュベットから発せられる光を測定して、制御機構４に測定結果を出力する。【００４１】
制御機構４においては、分析部４４は、測光機構３１から出力された測定結果をもとに、検体中の目的物質の有無や目的物質の量などを分析する。測光機構３１における測定が終了したキュベットは、第２キュベット移送機構３３によって所定の廃棄位置まで移送された後、廃棄される。【００４２】
つぎに、図２を参照して、分析装置１における分析情報の検索処理および出力処理について説明する。図２に示すように、入力部４３から入力された情報をもとに制御部４１は、分析情報の検索モードが選択されたか否かを判断する（ステップＳ２）。たとえば、入力部４３におけるマウスやキーボードの操作によって分析情報の検索モードが選択された場合、入力部４３から分析情報の検索モードの選択を指示する指示情報が制御部４１に入力される。【００４３】
制御部４１は、分析情報の検索モードが選択されたと判断するまでステップＳ２の判断処理を繰り返し、分析情報の検索モードが選択されたと判断した場合（ステップＳ２：Ｙｅｓ）、入力部４３が検索条件入力処理を行う（ステップＳ４）。【００４４】
この場合、たとえば、出力部４７は、図３に例示する検索メニューＭ１を表示出力する。この検索メニューＭ１には、上部に分析内容を選択できる欄Ｃｔが設けられ、欄Ｃｔの右側には検索を希望する分析日時を選択できる欄Ｃｉが設けられる。そして、欄Ｃｔの下方の領域Ａｕには、各使用ユニットに対応するチェックボックスが設けられている。さらに、領域Ａｕの下方に位置する領域Ａｓには、検体の種別を選択できるチェックボックス、検体番号および検体ＩＤを入力できる欄、検体が通常処理、緊急処理のいずれかを選択できるチェックボックスが設けられている。入力部４３は、マウスおよびキーボードの操作によって、各欄への入力および各チェックボックスの選択を行うことによって、検索条件を入力する。図３においては、たとえば、チェックボックスＣＢｂ１の選択によってユニットとして「Ｐｒｏｂｅ  Ｂ１」を選択し、チェックボックスＣＢｒの選択によって通常処理が行われた血液検体を選択して検索条件が入力部４３から制御部４１に入力される。さらに、図４に示すように、検索条件として所望の分析内容を選択する場合、マウス等の操作によって欄Ｃｔのスライダーを上下させ、カーソルＣを所望の分析内容上に配置し選択後、検索ボタンＳｄを選択すると、ユニット「Ｐｒｏｂｅ  Ｂ１」および分析内容「３４．ｂｈＣＧ」が検索条件として入力部４３から制御部４１に入力される。【００４５】
つぎに、検索部４５は、入力部４３から入力された検索条件にしたがって、記憶部４６の中から分析情報を検索する検索処理を行う（ステップＳ６）。検索部４５は、図３および図４に示すように検索条件が入力された場合、「Ｐｒｏｂｅ  Ｂ１」を使用して「通常処理が行われた血液検体」の「３４．ｂｈＣＧ」の分析内容に関する分析情報を記憶部４６の中から検索し、制御部４１に出力する。【００４６】
出力制御部４２は、検索部４５が検索した分析情報を所定の条件で並び替える並替処理を行い（ステップＳ８）、並び替えた状態で出力する出力処理を行う（ステップＳ１０）。たとえば、検索部４５が検索した分析情報は、図５の一覧メニューＭ２に示すように、欄Ｃｕに示すユニット「Ｐｒｏｂｅ  Ｂ１」の使用順に並び替えて領域Ａｐ１に表示出力される。領域Ａｐ１には、検体番号を示す欄Ｌｓ、多重分析番号を示す欄Ｌｃ、検体ＩＤを示す欄Ｌｉ、分析内容を示す欄Ｌｔｅ、分析結果を示す欄Ｌｒ、異常内容を示す欄Ｌｅ、分析開始時間を示す欄Ｌｔｉが設けられている。欄Ｌｔｉに示すように、分析開始時間順に「Ｐｒｏｂｅ  Ｂ１」を使用した分析情報が表示されている。【００４７】
そして、制御部４１は、入力部４３から入力された情報のうち、表示された分析情報の中から所定の分析情報の詳細を抽出する指示情報があるか否かを判断する（ステップＳ１２）。制御部４１が所定の分析情報の詳細を抽出する指示情報がないと判断した場合（ステップＳ１２：Ｎｏ）、分析情報の検索処理および出力処理を終了する。一方、制御部４１が所定の分析情報の詳細を抽出する指示情報があると判断した場合（ステップＳ１２：Ｙｅｓ）、出力制御部４２は、指示された分析情報の詳細を抽出して出力する抽出出力処理を行う（ステップＳ１４）。【００４８】
具体的には、図５に示すように、操作者は、欄Ｌｅに異常が発生した旨を示す「ｂｎ」表示が表示された検体番号「０００５」の分析情報を詳細に調べたい場合には、カーソルＣを検体番号「０００５」上に配置し、マウスの左ボタンをクリック後、詳細情報ボタンＳｉを選択する。この場合、入力部４３から、一覧メニューＭ２に表示された分析情報の中から検体番号「０００５」の分析情報を抽出する指示情報が入力され、出力制御部４２は、図６に示すメニューＭ３に示すように、検体番号「０００５」の分析情報の詳細を出力部４７に表示出力させる。このメニューＭ３には、検体番号「０００５」の検体種別、分析内容、分析結果、測定結果、測定時間に加え、欄Ｃｕに使用したユニット「Ｐｒｏｂｅ  Ｂ１」が表示される。さらに、メニューＭ３の下方には、この検体番号「０００５」の検体の分析のために使用された各試薬の種別、試薬格納テーブル内の配置位置、容器番号および試薬使用時間、検体番号「０００５」の検体が移送された各テーブルにおける配置箇所および配置時間をそれぞれ表示されている。操作者は、このメニューＭ３を確認することによって、異常が発生した検体番号「０００５」の分析情報を詳細に認識することができ、異常の特定に対して詳細に検討することが可能になる。【００４９】
このように、本実施例にかかる分析装置においては、検索条件として選択された所望のユニットに対応する分析情報を記憶部４６の中から検索し、所望のユニットの使用順に並び替えて出力させている。言い換えると、操作者は、分析装置の異常を特定するために、従来必要であった膨大な動作情報および分析結果の中から必要なものを抽出するという抽出作業を行うことなく、情報取得を希望するユニットの分析情報を、確認が容易である配列に並び替えた状態で迅速に取得することが可能になる。この結果、分析装置１によれば、複数の機構を有し様々な動作処理を行う複雑な装置構成の分析装置１であっても、所望のユニットに対応する分析情報を記憶部４６の中から検索して所望のユニットの使用順に並び替えて出力させているため、操作者は、異常特定を行うために所望のユニットの使用順に並び替えた分析情報を迅速かつ簡易に認識することができる。したがって、分析装置１は、異常特定処理における操作者の負担を軽減することができる。【００５０】
なお、図５に示す一覧メニューＭ２内のグラフ化ボタンＳｇを選択することによって、図７のグラフメニューＭ４が表示される。このグラフメニューＭ４には、一覧メニューＭ２に表示された各分析結果の分析開始時間の依存性を示すグラフが領域Ａｇに表示される。このように、入力部４３は、検索部４５によって検索された分析情報に対応するグラフ画像の出力を指示する指示情報を入力でき、出力制御部４２は、検索部４５によって検索された分析情報と使用順情報とを対応させたグラフ画像を出力部４７に出力させてもよい。この結果、操作者は、このグラフメニューＭ４内のグラフを参照することによって、分析結果の異常における時間依存を容易に認識することができ、異常の特定の検討を円滑に行うことが可能になる。【００５１】
また、図３の検索メニューＭ１においては、単数のユニットを検索条件として選択した場合について説明したが、もちろん複数のユニットを検索条件として選択してもよい。この場合、図８の検索メニューＭ１に示すように、操作者は、検索したいユニットを示すチェックボックスを複数選択して、検索ボタンＳｄを選択すればよい。たとえば、操作者が、「Ｐｒｏｂｅ  Ｂ１」に対応するチェックボックスＣＢｂ１とともに、「Ｔａｂｌｅ  Ｇ」に対応するチェックボックスＣＢｇを選択した場合、入力部４３から、「Ｐｒｏｂｅ  Ｂ１」および「Ｔａｂｌｅ  Ｇ」を検索条件として検索を行う指示情報が制御部４１に入力される。検索部４５は、ユニット「Ｐｒｏｂｅ  Ｂ１」および「Ｔａｂｌｅ  Ｇ」を使用した分析情報を検索する。そして、出力制御部４２は、図９の一覧メニューＭ２に示すように、検索部４５によって検索された分析情報のうち、「Ｐｒｏｂｅ  Ｂ１」に対応する分析情報を上部の領域Ｓｂ１に表示させ、「Ｔａｂｌｅ  Ｇ」に対応する分析情報を領域Ｓｂ１の下部の領域Ｓｔｇに表示させる。【００５２】
このように、分析装置１によれば、複数のユニットを選択した場合、一覧メニューＭ２には「Ｐｒｏｂｅ  Ｂ１」および「Ｔａｂｌｅ  Ｇ」の各ユニットに分けて分析情報が表示されるため、操作者は、それぞれのユニットの分析情報を正確に認識することが可能になり、異常の特定の検討を円滑に行うことが可能になる。また、グラフ化ボタンＳｇを選択した場合、「Ｐｒｏｂｅ  Ｂ１」および「Ｔａｂｌｅ  Ｇ」の各ユニットに対応した各分析結果の分析開始時間の依存性を示すグラフが表示される。【００５３】
また、複数の分析内容を検索条件として選択してもよい。この場合、図１０に示すように、操作者は、たとえば「１５．ＣＥＡ」と「３４．ｂｈＣＧ」の分析内容を検索条件として選択できる。この場合、入力部４３から、分析内容「１５．ＣＥＡ」と「３４．ｂｈＣＧ」を検索条件として検索を行う指示情報が制御部４１に入力され、検索部４５は、この指示条件にしたがって、分析内容「１５．ＣＥＡ」と「３４．ｂｈＣＧ」である分析情報を検索する。そして、出力制御部４２は、図１１の一覧メニューＭ２１に示すように、検索部４５によって検索された分析情報のうち、分析内容「１５．ＣＥＡ」に対応する分析情報を上部の領域Ｓｔｃに表示させ、「３４．ｂｈＣＧ」に対応する分析情報を領域Ｓｔｃの下部の領域Ｓｔｂに表示させる。【００５４】
このように、分析装置１によれば、複数の分析内容を選択した場合、一覧メニューＭ２１には「１５．ＣＥＡ」と「３４．ｂｈＣＧ」の各分析内容にそれぞれ分けて分析情報が表示されるため、操作者は、各分析内容の分析情報を正確に認識することが可能になり、異常の特定の検討を円滑に行うことが可能になる。また、グラフ化ボタンＳｇを選択した場合、「１５．ＣＥＡ」と「３４．ｂｈＣＧ」とのそれぞれの分析内容に対応した各分析結果の分析開始時間の依存性を示すグラフが表示される。なお、図１２の検索メニューＭ１３に示すように、第１の分析内容を選択できる欄Ｃｔ１のほかに、欄Ｃｔ１で選択した分析内容以外の第２の分析内容を選択できる欄Ｃｔ２をさらに設けて、複数の分析内容を選択できるようにしてもよい。【００５５】
また、分析装置１においては、検索条件として全てのユニットを選択してもよい。たとえば、図１３に示すように、検索メニューＭ１の領域Ａｕにおいて、全てのユニットを示すチェックボックスＣＢａｌを選択した場合、入力部４３から全てのユニットを検索条件として検索を指示する指示情報が制御部４１に入力される。この場合、検索部４５は、検索条件にしたがい全てのユニットに該当する分析情報を記憶部４６の中から検索する。そして、出力制御部４２は、図１４の一覧メニューＭ２２に示すように、分析開始時刻にしたがって検索部４５によって検索された分析情報を並び替えて出力部４７に出力させる。この場合、操作者は、分析開始時刻順に詳細に分析情報を確認することができる。【００５６】
また、図１５に示す設定メニューＭｓにおける設定処理を行うことによって、操作者は、検索条件の優先順位を自由に設定することができる。たとえば、設定メニューＭｓにおける領域Ａｎｔにおいて、分析内容の優先順位を設定することができる。欄Ｂｔ１においては優先順位「１位」の分析内容を設定でき、欄Ｂｔ２においては優先順位「２位」の分析内容を設定でき、欄Ｂｔ３においては優先順位「３位」の分析内容を設定できる。この場合、出力される分析情報は、優先順位にしたがった順番に分析内容に分けて出力される。また、領域Ａｎｕにおいては、使用ユニットの優先順位を設定することができる。欄Ｂｕ１においては優先順位「１位」のユニットを設定でき、欄Ｂｕ２においては優先順位「２位」のユニットを設定でき、欄Ｂｕ３においては優先順位「３位」のユニットを設定できる。この場合、出力される分析情報は、優先順位にしたがった順番に各ユニットに分けて出力される。このように、分析情報の出力における優先順位を自由に設定することができるため、操作者は、分析情報の取得方法を柔軟に変更することができ、異常特定を効率的に行うことが可能になる。【００５７】
また、出力制御部４２は、検索条件に対応する分析情報以外の分析情報を所定条件で前記出力手段に出力させてもよい。たとえば図１６のメニューＭ２に示すように、ユニット「Ｐｒｏｂｅ  Ｂ１」が検索条件として入力された場合、ユニット「Ｐｒｏｂｅ  Ｂ１」に対応する分析情報の後に他のユニットに対応する分析情報を検体番号順に表示してもよい。この場合、「Ｐｒｏｂｅ  Ｂ１」に対応する分析情報が上部の領域Ｓｂ１に表示され、領域Ｓｂ１の下部の領域Ｓｔ０に、他のユニットに対応する分析情報が欄Ｌｓに示すように検体番号順に表示される。また、図１７に示すように、ユニット「Ｐｒｏｂｅ  Ｂ１」が検索条件として入力された場合、ユニット「Ｐｒｏｂｅ  Ｂ１」に対応する分析情報の後に他のユニットに対応する分析情報を分析内容順に表示してもよい。この場合、「Ｐｒｏｂｅ  Ｂ１」に対応する分析情報が上部の領域Ｓｂ１に表示され、領域Ｓｂ１の下部の領域Ｓｔ０に、他のユニットに対応する分析情報が欄Ｌｔｅに示すように分析内容順に表示される。また、検索条件に対応する分析情報以外の分析情報を、検索条件に対応する分析情報の後ではなく検索条件に対応する分析情報の前に表示してもよい。また、図１８の欄Ｌｔｉに示すように、検索条件であるユニット「Ｐｒｏｂｅ  Ｂ１」に対応する分析情報以外の分析情報を表示する場合、分析開始時刻を空欄にして表示してもよい。このように、分析装置１においては、検索条件に対応する分析情報以外の分析情報を所定条件で表示することによって、検索条件に対応する分析情報以外の分析情報も確認することができるため、再度検索処理をして最初の検索条件に対応する分析情報以外の分析情報を再出力させる処理を省略することができる。【００５８】
また、図３〜図１８において、出力部４７は、出力制御部４２が並び替えた分析情報を表示出力した場合を例に説明したが、もちろん、出力制御部４２が並び替えた分析情報を印刷してもよく、また、出力制御部４２が並び替えた分析情報を保存したファイルを記憶部４６または外部記憶媒体に出力してもよい。また、送受信部４８は、ネットワーク回線を介して他のコンピュータシステムに、出力制御部４２が並び替えた分析情報を出力してもよい。【００５９】
また、上記実施例で説明した分析装置は、あらかじめ用意されたプログラムをパーソナル・コンピュータやワークステーションなどのコンピュータシステムで実行することによって実現することができる。このコンピュータシステムは、所定の記録媒体に記録されたプログラムを読み出して実行することで分析装置の処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワークを介して接続した他のコンピュータシステムからプログラムを取得し、取得したプログラムを実行することで分析装置の処理動作を実現する。
【産業上の利用可能性】
【００６０】
以上のように、本発明にかかる分析装置は、複数のユニットを備えた医療用分析装置に有用であり、特に、分析装置に異常が発生したときに異常特定のために所望の分析情報を簡易かつ迅速に取得した場合に適している。
【図１】
2008050397.tif 000003
【図２】
2008050397.tif 000004
【図３】
2008050397.tif 000005
【図４】
2008050397.tif 000006
【図５】
2008050397.tif 000007
【図６】
2008050397.tif 000008
【図７】
2008050397.tif 000009
【図８】
2008050397.tif 000010
【図９】
2008050397.tif 000011
【図１０】
2008050397.tif 000012
【図１１】
2008050397.tif 000013
【図１２】
2008050397.tif 000014
【図１３】
2008050397.tif 000015
【図１４】
2008050397.tif 000016
【図１５】
2008050397.tif 000017
【図１６】
2008050397.tif 000018
【図１７】
2008050397.tif 000019
【図１８】
2008050397.tif 000020
【国際調査報告】
2008050397.tif 000021
2008050397.tif 000022
2008050397.tif 000023
2008050397.tif 000024